(57)【要約】  ワイヤアセンブリ固定装置は、保持体と、第１および第２の伸長アームとを含む。保持体は、複数の結合アタッチメントを介してワイヤアセンブリに取り付けるように構成される。第１および第２の伸長アームは、保持体から延び、複数の結合アタッチメントを介して、保持体のワイヤアセンブリへの取り付けを容易にするように構成される。保持部は、内部に形成された、装着スタッドなどの突起を受容するように構成される通路を有する。様々な実施形態において、第１および第２の捕捉フランジは、通路を通って延び、固定装置を突起に固定するように構成される。様々な実施形態において、保持体と第１および第２の伸長アームとは、ワイヤアセンブリに複数のタイプの結合アタッチメントを介して取り付けるように構成される。
2019500832.tif 000002
【特許請求の範囲】
【請求項１】
複数の結合アタッチメントを介してワイヤアセンブリに取り付けるように構成される保持体と、
前記保持体から延び、前記複数の結合アタッチメントを介して、前記保持体の前記ワイヤアセンブリへの取り付けを容易にするように構成される、第１および第２の伸長アームと、
保持部であって、内部に形成された、突起を受容するように構成される通路を有する保持部と、
前記通路を通って延び、固定装置を前記突起に固定するように構成される、第１および第２の捕捉フランジとを含むことを特徴とするワイヤアセンブリ固定装置。
【請求項２】
前記保持体と前記第１および第２の伸長アームとは、前記ワイヤアセンブリに、第１のタイプのアタッチメントと第２のタイプのアタッチメントとを含む複数のタイプの結合アタッチメントを介して取り付けるように構成されることを特徴とする、請求項１に記載の装置。
【請求項３】
前記第１のタイプのアタッチメントは、タイラップアタッチメントであり、前記第２のタイプのアタッチメントは、テープアタッチメントであることを特徴とする、請求項２に記載の装置。
【請求項４】
前記保持体は、内部に形成された複数のレシーバ通路であって、タイラップを受容するように構成される、レシーバ通路を有することを特徴とする、請求項３に記載の装置。
【請求項５】
前記保持体は、複数の直径を有する複数のワイヤを保持するように構成されることを特徴とする、請求項１に記載の装置。
【請求項６】
前記通路は、１以上の卵形壁によって規定されることを特徴とする、請求項１に記載の装置。
【請求項７】
前記１以上の卵形壁は、金属材料、ポリマ材料および複合材料のうちの少なくとも１種を含むことを特徴とする、請求項６に記載の装置。
【請求項８】
前記保持体は、凹面を含むことを特徴とする、請求項１に記載の装置。
【請求項９】
前記保持体は、前記ワイヤアセンブリが不安定な動きをするのを防止するように構成される１以上の隆起部を含むことを特徴とする、請求項１に記載の装置。
【請求項１０】
前記第１および第２の捕捉フランジは、前記固定装置を前記突起に一時的に固定するように構成されることを特徴とする、請求項１に記載の装置。
【請求項１１】
前記第１および第２の捕捉フランジは、複数の直径を有する突起を保持するように動作可能であることを特徴とする、請求項１に記載の装置。
【請求項１２】
複数の結合アタッチメントを介してワイヤアセンブリに取り付けるように構成される保持体と、
前記保持体から延び、前記複数の結合アタッチメントを介して、前記保持体の前記ワイヤアセンブリへの取り付けを容易にするように構成される、第１および第２の伸長アームと、
保持部であって、内部に形成された、突起を受容するように構成された通路を有する保持部とを含み、
前記保持体と前記第１および第２の伸長アームとは、前記ワイヤアセンブリに、第１のタイプのアタッチメントと第２のタイプのアタッチメントとを含む複数のタイプの結合アタッチメントを介して取り付けるように構成され、前記第１のタイプのアタッチメントはタイラップアタッチメントであり、前記第２のタイプのアタッチメントはテープアタッチメントであることを特徴とするワイヤアセンブリ固定装置。
【請求項１３】
前記通路を通って延び、前記固定装置を前記突起に固定するように構成される、第１および第２の捕捉フランジをさらに含むことを特徴とする、請求項１２に記載の装置。
【請求項１４】
前記第１および第２の捕捉フランジは、前記固定装置を前記突起に一時的に固定するように構成されることを特徴とする、請求項１３に記載の装置。
【請求項１５】
前記第１および第２の捕捉フランジは、複数の直径を有する突起を保持するように動作可能であることを特徴とする、請求項１３に記載の装置。
【請求項１６】
前記保持体は、内部に形成された複数のレシーバ通路であって、タイラップを受容するように構成される、レシーバ通路を有することを特徴とする、請求項１２に記載の装置。
【請求項１７】
前記保持体は、複数の直径を有する複数のワイヤを保持するように構成されることを特徴とする、請求項１２に記載の装置。
【請求項１８】
前記通路は、１以上の卵形壁によって規定されることを特徴とする、請求項１２に記載の装置。
【請求項１９】
前記１以上の卵形壁は、金属材料、ポリマ材料および複合材料のうちの少なくとも１種を含むことを特徴とする、請求項１２に記載の装置。
【請求項２０】
前記保持体は、前記ワイヤアセンブリが不安定な動きをするのを防ぐように構成される１以上の隆起部を含むことを特徴とする、請求項１２に記載の装置。
【発明の詳細な説明】
【技術分野】
【０００１】
本発明の実施形態は、概ねワイヤアセンブリに関する。特に、本発明の実施形態は、ワイヤアセンブリを固定するための装置および方法に関する。
【背景技術】
【０００２】
ワイヤアセンブリ（たとえばワイヤハーネス、ケーブルハーネスなど）は、典型的には、信号の伝達または電力の提供などの電子能力のために構成されたワイヤを含む。いくつかの用途において、各ワイヤは、最大数メートルの距離にわたって、または車両（たとえば自動車、飛行機、宇宙船、船舶など）全体にわたって長さが変化し得る。したがって、ワイヤアセンブリは、ワイヤを拘束または集めてワイヤを固定し、ワイヤ完全性の劣化を防止し、人との接触を低減するために使用されるクリップを含んでもよい。クリップは、ワイヤアセンブリをスタッドなどの支持構造に取り付けてもよい。このようなワイヤアセンブリをこのような支持構造に容易かつ確実に装着することを可能にする改良された設計が求められている。
【０００３】
このような従来のクリップは、制約がないわけではない。たとえば、従来のクリップは、ワイヤアセンブリをスタッドに取り付けることができる選択肢を制限し、ワイヤアセンブリを片手操作でスタッドに取り付けることを可能にする一時的保持機能を提供することができない。しかしながら、発明者は、車両表面に結合された突起にワイヤアセンブリを固定する際に生じる様々な課題および困難を特定した。発明者は、車両表面に結合した突起にワイヤアセンブリを固定する非従来の解決手段を開発することによって達成されたこのような障害を解決した。
【発明の概要】
【０００４】
例示的な実施形態において、ワイヤアセンブリ固定装置は、保持体と、第１および第２の伸長アームとを含む。保持体は、複数の結合アタッチメントを介して、ワイヤアセンブリに取り付けるように構成される。第１および第２の伸長アームは、保持体から延び、複数の結合アタッチメントを介して保持体のワイヤアセンブリへの取り付けを容易にするように構成される。保持部は、内部に形成された、突起を受容する通路を有する。固定装置は、通路を通って延び、固定装置を突起に固定するように構成される第１および第２の捕捉フランジをさらに含む。
【０００５】
他の例示的な実施形態において、ワイヤアセンブリ固定装置は、保持体と、第１および第２の伸長アームとを含む。保持体は、複数の結合アタッチメントを介して、ワイヤアセンブリに取り付けるように構成される。第１および第２の伸長アームは、保持体から延び、複数の結合アタッチメントを介して保持体のワイヤアセンブリへの取り付けを容易にするように構成される。保持部は、内部に形成された、突起を受容する通路を有する。保持体と第１および第２の伸長アームとは、第１のタイプのアタッチメントと第２のタイプのアタッチメントとを含む複数のタイプの結合アタッチメントを介して、ワイヤアセンブリに取り付けるように構成される。様々な実施形態において、第１のタイプのアタッチメントは、タイラップアタッチメントであり、第２のタイプのアタッチメントは、テープアタッチメントである。
【０００６】
本明細書に記載された実施のこれらの特徴および他の特徴は、その構成および動作方法とともに、添付の図面と併用すると、以下の詳細な説明から明らかになるであろう。ここで同様の要素には、以下のいくつかの図面を通して同様の符号を付す。
【０００７】
１または複数の実施の詳細が添付の図面および以下の説明に記載されている。本開示の他の特徴、態様および利点は、明細書、図面および特許請求の範囲から明らかになるであろう。
【図面の簡単な説明】
【０００８】
【図１Ａ】例示的な実施形態に従う装置の正面図である。
【図１Ｂ】例示的な実施形態に従うワイヤアセンブリに取り付けられる装置の側面斜視図である。
【図１Ｃ】例示的な実施形態に従うワイヤアセンブリに取り付けられる装置の側面斜視図である。
【図２Ａ】例示的な実施形態に従う装置の正面斜視図である。
【図２Ｂ】例示的な実施形態に従う装置の分解側面図である。
【図３】例示的な実施形態に従う装置の側面斜視図である。
【図４】例示的な実施形態に従う装置の背面図である。
【発明を実施するための形態】
【０００９】
図面の一部または全ては説明のための概略図であることは認識されるであろう。図面は、特許請求の範囲の意味の範囲を限定するために使用されないという明白な理解とともに、１または複数の実施を説明するために提供される。
【００１０】
一般的に図面を参照して、表面に結合された（たとえば表面から延びる）突起にワイヤアセンブリを固定するための装置（クリップ、張力緩和アセンブリなど）が説明される。表面は、モータ（たとえば電気モータ）、エンジン（たとえば内燃機関、ガソリンエンジン、ジェットエンジン、蒸気機関、ハイブリッドエンジンなど）、プロペラ、レール、道路、空気、水などのうちの少なくとも１つを介して動作可能な車両の、または該車両に対応する表面を含んでもよい。したがって、装置１０は、車両の内部で利用されてもよい。あるいは、またはさらに、装置１０は車両の外部で利用されてもよい。
【００１１】
図１Ａを参照して、例示的な実施形態に従う装置１０の正面図が示される。図示されるように、装置１０は、保持体１５と、凹面２０と、第１および第２の伸長アーム２１と、第１および第２の捕捉フランジ３０と、保持部４０と、卵形通路４２とを含んでもよい。保持体１５は、ワイヤアセンブリ（たとえばワイヤハーネス、または１以上のワイヤを含む他のアセンブリ）を保持する（たとえば収容する、保持する、受容するなど）ように構成される。保持体１５は、プラスチック材料または複合材料などの材料から成っていてもよい。図示された実施形態において、たとえば、保持体１５は、射出成形された非導電性プラスチックを含み、本明細書に記載されたような様々なアセンブリ（たとえばワイヤアセンブリ）を収容するように構成される長さ（Ｌ）および幅（Ｗ）がある。他の実施形態において、保持体１５は、他の適切な材料、および／または材料の組み合わせから成っていてもよい。
【００１２】
さらなる実施形態において、保持体１５は、異なる寸法、数またはタイプのワイヤアセンブリ、ワイヤ、チューブ、ケーブルなどを収容するように構成（たとえば寸法および形状に）されてもよい。これについて、いくつかの実施形態において、保持体１５は、図１Ｂおよび図１Ｃに示されるように、ワイヤアセンブリおよび／または複数の直径を含む１以上のワイヤを保持するように構成される。例示的な実施形態において、複数の直径は、面積で１０ｍｍ２（平方ミリメートル）〜７０ｍｍ２の範囲の断面積をもたらしてもよい。
【００１３】
保持体１５は、図１Ｂおよび図１Ｃに示されるように、複数のタイプの結合アタッチメントを介してワイヤアセンブリに取り付けるように構成される。たとえば、図示された例において、保持体１５および伸長アーム２０は、第１のタイプのアタッチメントと第２のタイプのアタッチメントとを含む複数のタイプの結合アタッチメントを介して、ワイヤアセンブリに取り付けるように構成される。たとえば、第１のタイプのアタッチメントはタイラップであってもよい。タイラップは、ナイロンまたは他の材料から成っていてもよく、タイラップの先端の爪と係合してラチェットを形成する歯を有する可撓性テープ部を有してもよい。このように、テープ部の自由端を引っ張ると、タイラップは堅く締まり、ほどけない。第２のタイプのアタッチメントは、伸長アーム２１を包み込むテープまたは他の耐火性接着剤によるアタッチメントであってもよい。いくつかの実施形態において、保持体１５は、第１のタイプのアタッチメントまたは第２のタイプのアタッチメント、もしくはその両方を介して、ワイヤアセンブリに取り付けるように構成されてもよい。
【００１４】
図示されたような装置１０は、第１および第２の伸長アーム２１を含む。第１および第２の伸長アーム２１は、保持体１５から延びるように構成されてもよい。いくつかの実施形態において、第１および第２の伸長アーム２１は、複数の結合アタッチメントを介して、保持体１５のワイヤハーネスへの取り付けを容易にするように構成されてもよい。第１および第２の伸長アーム２１は、図３を参照して示されるように、アーム壁２３を含んでもよい。アーム壁２３は、第１および第２の伸長アーム２１のそれぞれに垂直に設けられてもよい。図示された例示的な実施形態において、第１および第２の伸長アーム２１とアーム壁２３は、リップ２４を形成してもよい。これについて、ワイヤアセンブリは、複数のファスナに対応する複数のアタッチメントを介して固定されてもよい。たとえば、複数のファスナ（たとえばタイラップ、テープ、その組み合わせなど）が、第１および第２の伸長アーム１６の周囲に配置（たとえば巻き付け、折り曲げなど）されてもよい。次に、リップ２４は、複数のファスナまたはワイヤアセンブリのうちの少なくとも１つを、装置１０の第１および第２の伸長アーム２１に保持してもよい。この目的のために、リップ２４は、複数のファスナが第１および第２の伸長アーム２１から滑り落ちたり、第１および第２の伸長アーム２１から外れたりすることを防止してもよい。
【００１５】
再び図１Ａを参照して、図示されるように、装置１０は、卵形通路４２を規定するように構成された保持部４０を含む。これについて、保持部４０は、卵形通路４２を介して以下に説明されるような突起（図示せず）を受容するように構成される。保持部４０は、保持体１５から、第１および第２の伸長アーム２１と９０°（度）またはその近傍の角度をなして延びる。いくつかの実施形態において、保持部４０は、第１および第２の伸長アーム２１と９０°未満または９０°よりも大きい角度をなすように構成されてもよい。他の例示的な実施形態において、保持部４０は、１以上のファスナ（たとえば、１以上のねじ、継手、接着剤など）を介して保持体１５に結合されてもよい。保持部４０は、図示された実施形態において、矩形形状を有するが、保持部４０は、正方形、円形、または他の適切な形状を有してもよい。保持部４０は、プラスチック材料または複合材料から成っていてもよい。たとえば、保持部４０は、射出成形された非導電性プラスチックを含んでもよい。保持部４０に関するさらなる説明が、図４を参照してなされる。
【００１６】
図示されるように、装置１０は、卵形通路４２を介して延びるように構成される第１および第２の捕捉フランジ３０（たとえば係止または固定するように構成されるフランジ）を含む。第１および第２の捕捉フランジ３０は、卵形通路４２を介して受容された突起（図示せず）を固定するように構成されてもよい。突起は、スタッド、釘、ねじ、または他のタイプの機械的ファスナを含んでもよい。いくつかの実施形態において、突起（たとえばスタッド）は、車両表面（たとえばモータまたはエンジンのうちの少なくとも１つを介して動作可能な車両の、または該車両に対応する表面）に結合されてもよい。この目的のために、第１および第２の捕捉フランジ３０は、車両表面に結合された突起への第１の確実な取り付けのために構成される。たとえば、第１および第２の捕捉フランジ３０は、突起（たとえばスタッド）を係止してファスナ（たとえばナット、ボルト、または他のタイプの機械的ファスナ）を適用する前に突起を一時的に固定するなどの第１の確実な取り付けのために構成されてもよいが、これに限定されない。これについて、第１および第２の捕捉フランジ３０は、第１位置（たとえば、非係合状態、休止状態、自由状態、非占有状態など）と第２位置（たとえば、係合状態、拡張状態など）との間で移動（たとえば、拡張、衝突、さもなければ調整）するように動作可能である。したがって、第１および第２の捕捉フランジ３０は、１以上の突起（たとえばスタッド）を保持する（たとえば受容する）ことに応じて、第１位置（たとえば非係合状態）から第２位置（たとえば係合状態）まで移動するように動作可能であってもよい。
【００１７】
いくつかの実施形態において、第１および第２の捕捉フランジ３０は、複数の直径を有する１以上の突起を保持するように構成されてもよい。たとえば、１以上の突起は、様々な寸法または直径であってもよい。第１および第２の捕捉フランジ３０は、柔軟な動き、拡張された動きなどのために構成されたプラスチック、ゴムまたは複合材料などの材料から成っていてもよい。
【００１８】
図２Ａを参照して、例示的な実施形態に従う装置１０の正面斜視図が示される。以前に図示されたように、装置１０は、保持体１５と、中央部１９と、凹面２０と、第１および第２の伸長アーム２１と、レシーバ通路２５と、１以上の隆起部３５と、保持部４０とを含む。
【００１９】
図２Ａにより明確に示されるように、保持体１５は、ワイヤアセンブリの保持を支持するように構成された中央部１９を含む。第１および第２の伸長アーム２１は、図示されるように、中央部１９から延びるように構成される。中央部１９は、プラスチックまたは複合材料などの材料から成っていてもよい。たとえば、図示された実施形態において、中央部１９は、射出成形された非導電性プラスチックを含む。理解されるように、中央部１９は、保持体または、他のいずれかの部品または部分を形成する材料と同様のまたは異なる材料から成っていてもよい。
【００２０】
図示されたような装置１０は、ワイヤアセンブリを受容する凹面２０を含む。（一実施形態に従う凹面２０の分解図が図２Ｂに示される。）たとえば、ワイヤアセンブリは、凹面２０内に配置され、さもなければ設けられ、これによって凹面２０に結合されてもよい。凹面２０が図示されているけれども、装置１０は、凸面（たとえば外側に湾曲するように構成された表面）またはワイヤアセンブリを受容するように構成された、他のいずれかのタイプの表面を含んでもよい。
【００２１】
図示されるように、保持体１５は、複数のレシーバ通路２５（たとえば受容キャビティ）を規定するように構成される。複数のレシーバ通路２５は、複数の結合アタッチメントに対応する複数のファスナを受容するように構成される。たとえば、複数のレシーバ通路２５は、複数のレシーバ通路を通過してもよい複数のタイラップ（図示せず）を受容するように構成されてもよい。複数のファスナは、次いで装置１０をワイヤアセンブリに（たとえばループまたは巻回によって）固定してもよい。２つのレシーバ通路２５が示されているけれども、装置１０は、いくつかの実施形態において、複数のファスナを受容するのに必要な任意の数のレシーバ通路を含んでもよい。図示されるように、複数のレシーバ通路２５は、中央部１９内に配置され、さもなければ中央部１９によって規定される。さらなる実施形態において、複数のレシーバ通路２５は、装置１０の他の部分または構成要素によって規定されてもよい。たとえば、複数のレシーバ通路２５は、第１および第２の伸長アーム２１によって規定されてもよい。
【００２２】
図示されたような実施形態において、保持体１５は、ワイヤアセンブリが不安定な動き（たとえば滑り運動）をするのを防止するように構成された１以上の隆起部３５を含む。１以上の隆起部３５は、１以上の隆起バンド、リッジ、または他の隆起突起を含んでもよい。たとえば、１以上の隆起部３５は、ワイヤアセンブリ、さもなければワイヤが装置１０に関して平行な方向に移動するのを防いでもよい。そうすることで、１以上の隆起部３５は、牽引力、滑り抵抗などを提供して、ワイヤアセンブリが不安定な動きをするのを防ぐ。
【００２３】
図４に関して、例示的な実施形態に従う装置１０の背面図が示される。上述のように、装置１０は、卵形通路４２を規定するように構成された保持部４０を含む。卵形通路４２は、様々な形状および／または寸法を有する１以上の突起を受容するように構成される。たとえば、卵形通路４２は、円形、楕円形、または他の形状を有する突起を受容してもよい。
【００２４】
卵形通路４２は、図示されたように、１以上の卵形壁を含む。１以上の卵形壁は、内壁２８と、中間壁２６と、外壁２７とを含んでもよい。中間壁２６は、内壁２８と外壁２７との間に設けられる。１以上の卵形壁は、金属材料、ポリマ材料、複合材料または他の材料のうちの少なくとも１種を含んでもよい。たとえば、中間壁２６は、図示されたように、突起（車両表面から突出した金属薄板を含む）の保持を支持するように構成された金属を含む。
【００２５】
上述のように、第１および第２の捕捉フランジ３０は、卵形通路４２を介して延びる。図示された実施形態において、第１および第２の捕捉フランジ３０は、内壁２８から延びるように構成される。あるいは、またはさらに、第１および第２の捕捉フランジ３０は、中間壁２６、外壁２７、または他のいずれかの適切な壁から延びるように構成されてもよい。２つの捕捉フランジ３０が図示されているけれども、任意の数の捕捉フランジが１以上の卵形壁から延びるように構成されてもよい。
【００２６】
本明細書は、多くの特定の実施形態の詳細を含んでいるけれども、これらは特許請求する範囲の限定として解釈されるべきではなく、むしろ特定の実施形態に特有の特徴の説明として解釈されるべきである。別個の実施形態の文脈で本明細書に記載された特定の特徴は、単一の実施形態において組み合わせて実施することもできる。逆に、単一の実施形態の文脈で記載された様々な特徴は、複数の実施形態で別々に、または任意の適切な部分的組み合わせで実施することもできる。さらに、特徴は、特定の組み合わせで作用するものとして上述され、当初はそのようなものとして特許請求されていたとしても、ある場合には、特許請求された組み合わせからの１以上の特徴が、その組み合わせから切り取ることができ、特許請求された組み合わせは部分的組み合わせまたは部分的組み合わせの変形に向けられてもよい。
【００２７】
本明細書で使用される場合、本明細書で使用する「結合」、「接続」などの用語は、２つの構成要素を互いに直接的にまたは間接的に接合することを意味する。このような接合は、静止（たとえば恒久的）であっても、可動（たとえば取り外し可能または解放可能）であってもよい。このような接合は、２つの構成要素または２つの構成要素および任意の追加の中間構成要素が互いに単一の一体物として一体的に形成されることによって達成されてもよく、２つの構成要素または２つの構成要素および任意の追加の中間構成要素が互いに取り付けられることによって達成されてもよい。
【００２８】
様々な例示的な実施形態に示されるシステムの構成および配置は、例示的に過ぎず、限定的なものではないことに留意することが重要である。
記載された実施形態の精神および／または範囲内に入る全ての変更および修正が保護されるべきものである。いくつかの特徴は必要でなくてもよく、様々な特徴を欠く実施形態が、以下の特許請求の範囲によって規定される本出願の範囲内にあると考えられてもよいことは理解されるべきである。用語「少なくとも一部」および／または「一部」が使用されるとき、項目は、特に断りのない限り、一部および／または項目全体を含むことができる。
【００２９】
実施形態の上述の説明は、例示および説明のために提示されたものである。網羅的であり、開示を正確な形態に限定することを意図するものではなく、修正および変形は上記の教示に照らして可能であり、または本開示から取得することができる。実施形態は、本開示の原理およびその実際の用途を説明して、当業者が様々な実施形態を企図された特定の用途に適した様々な修正とともに利用することを可能にするために選択され説明された。添付の特許請求の範囲に記載されるような本開示の範囲から逸脱することなく、実施形態の設計、動作条件および配置において、他の置換、修正、変更および省略を行うことができる。
【図１Ａ】
2019500832.tif 000003
【図１Ｂ】
2019500832.tif 000004
【図１Ｃ】
2019500832.tif 000005
【図２Ａ】
2019500832.tif 000006
【図２Ｂ】
2019500832.tif 000007
【図３】
2019500832.tif 000008
【図４】
2019500832.tif 000009
【国際調査報告】
2019500832.tif 000010